(57)【要約】【課題】戸が完全に閉じることを阻止し、戸と戸枠との間に指が挟まれることを防止することができると共に、戸が完全に閉じることが阻止された状態を容易に解除することができる、指挟み防止用具を提供する。【解決手段】指挟み防止用具２は、開き戸５２の外縁に固定される固定部材４と、固定部材４に揺動自在に連結された当接部材６と、当接部材６が戸枠５４に当接する初期位置に当接部材６を付勢する付勢部材８とを備える。【選択図】図１
2017066596.tif 000002
【特許請求の範囲】
【請求項１】
開き戸と戸枠との間に指が挟まれることを防止するための指挟み防止用具であって、
前記開き戸の外縁に固定される固定部材と、前記固定部材に揺動自在に連結された当接部材と、前記当接部材が前記戸枠に当接する初期位置に前記当接部材を付勢する付勢部材とを備える、指挟み防止用具。
【請求項２】
引き戸と戸枠との間に指が挟まれることを防止するための指挟み防止用具であって、
前記戸枠に固定される固定部材と、前記固定部材に揺動自在に連結された当接部材と、前記当接部材が前記引き戸の外縁及び前記戸枠に当接する初期位置に前記当接部材を付勢する付勢部材とを備える、指挟み防止用具。
【請求項３】
前記当接部材は、基端側が前記固定部材に揺動自在に連結された連結軸と、基端側が前記連結軸の先端側に接続された緩衝器と、基端側が前記緩衝器の先端側に接続された当接体とを含む、請求項１又は２記載の指挟み防止用具。
【請求項４】
前記固定部材は円形開口が形成された中空の枠体を含み、前記当接部材の前記連結軸は球状基部を有し、
前記球状基部は前記円形開口を通って前記枠体内に揺動自在に収容されている、請求項３記載の指挟み防止用具。
【請求項５】
前記当接部材の前記当接体の先端側は先端に向かって凸に湾曲している、請求項３又は４記載の指挟み防止用具。
【請求項６】
前記当接部材の前記緩衝器はコイルばねから構成されている、請求項３から５までいずれかに記載の指挟み防止用具。
【請求項７】
前記付勢部材は、前記当接部材に沿って延び、且つ基端側が前記固定部材に係止されていると共に先端側が前記当接部材の前記当接体に係止されたコイルばねから構成されている、請求項３から６までいずれかに記載の指挟み防止用具。
【請求項８】
前記付勢部材は前記固定部材と前記当接部材との間に配置されたコイルばねから構成されており、前記当接部材は前記コイルばねを介して前記固定部材に揺動自在に連結されている、請求項１記載の指挟み防止用具。
【発明の詳細な説明】
【技術分野】
【０００１】
本発明は、戸と戸枠との間に指が挟まれることを防止するための指挟み防止用具に関する。
【背景技術】
【０００２】
下記特許文献１には、戸と戸枠との間に指が挟まれることを防止するための指挟み防止用具が開示されている。この指挟み防止用具は、戸の外縁を挟み込むための一対の押さえ部と、一対の押さえ部とつながる胴部とから構成されている。一対の押さえ部が戸の外縁を挟み込むことによって、指挟み防止用具は戸の外縁に取付けられる。そして、この指挟み防止用具によれば、意図せず戸が閉じるとき、胴部が戸枠に当接することによって戸が完全に閉じることが阻止され、戸と戸枠との間に指が挟まれることが防止される。
【先行技術文献】
【特許文献】
【０００３】
【特許文献１】登録実用新案３１９８７６２号公報
【発明の概要】
【発明が解決しようとする課題】
【０００４】
上記指挟み防止用具が戸に取付けられていると、戸が完全に閉じることが阻止されるため、戸は施錠され得ない。したがって、玄関等の建物入口に設置された戸等に上記指挟み防止用具が取付けられていることは、防犯上の観点から好ましくない。しかしながら、玄関等の建物入口においても、戸と戸枠との間に指が挟まれるおそれがあり、これを防止することが望まれている。例えば、高齢者が右手で買い物袋を持って帰宅し、外部からみて右側に取っ手が配置された開き戸を開けて玄関を通過する際には、開き戸を左手で開け、次いで開けた開き戸を背で受けることによって開き戸を開放状態に保持しつつ、買い物袋を右手から左手に持ち替えた後、右手で戸枠を掴んで身体を支えながら玄関を通過する、状況が見受けられる。このような状況において、高齢者が開き戸を開放状態に保持しているときに、強風によって閉じる方向に開き戸が煽られた場合には、背で開き戸を受けきれなくなって開き戸が閉じてしまい、戸枠を掴んでいる右手の指が開き戸と戸枠との間に挟まれるおそれがある。
【０００５】
本発明は上記事実に鑑みてなされたものであり、その第１の技術的課題は、開き戸が完全に閉じることを阻止し、開き戸と戸枠との間に指が挟まれることを防止することができると共に、開き戸が完全に閉じることが阻止された状態を容易に解除することができる、指挟み防止用具を提供することである。
【０００６】
本発明の第２の技術的課題は、引き戸が完全に閉じることを阻止し、引き戸と戸枠との間に指が挟まれることを防止することができると共に、引き戸が完全に閉じることが阻止された状態を容易に解除することができる、指挟み防止用具を提供することである。
【課題を解決するための手段】
【０００７】
本発明の第１の局面によれば、上記第１の技術的課題を解決する指挟み防止用具として、開き戸と戸枠との間に指が挟まれることを防止するための指挟み防止用具であって、前記開き戸の外縁に固定される固定部材と、前記固定部材に揺動自在に連結された当接部材と、前記当接部材が前記戸枠に当接する初期位置に前記当接部材を付勢する付勢部材とを備える、指挟み防止用具が提供される。
【０００８】
本発明の第２の局面によれば、上記第２の技術的課題を解決する指挟み防止用具として、引き戸と戸枠との間に指が挟まれることを防止するための指挟み防止用具であって、前記戸枠に固定される固定部材と、前記固定部材に揺動自在に連結された当接部材と、前記当接部材が前記引き戸の外縁及び前記戸枠に当接する初期位置に前記当接部材を付勢する付勢部材とを備える、指挟み防止用具が提供される。
【０００９】
好ましくは、前記当接部材は、基端側が前記固定部材に揺動自在に連結された連結軸と、基端側が前記連結軸の先端側に接続された緩衝器と、基端側が前記緩衝器の先端側に接続された当接体とを含む。前記固定部材は円形開口が形成された中空の枠体を含み、前記当接部材の前記連結軸は球状基部を有し、前記球状基部は前記円形開口を通って前記枠体内に揺動自在に収容されているのが好適である。前記当接部材の前記当接体の先端側は先端に向かって凸に湾曲しているのが好都合である。前記当接部材の前記緩衝器はコイルばねから構成されているのが好ましい。前記付勢部材は、前記当接部材に沿って延び、且つ基端側が前記固定部材に係止されていると共に先端側が前記当接部材の前記当接体に係止されたコイルばねから構成されているのが好適である。前記付勢部材は前記固定部材と前記当接部材との間に配置されたコイルばねから構成されており、前記当接部材は前記コイルばねを介して前記固定部材に揺動自在に連結されているのが好都合である。
【発明の効果】
【００１０】
本発明の第１の局面によって提供される指挟み防止用具によれば、意図せず開き戸が閉じるとき、付勢部材によって戸枠に当接する初期位置に付勢されている当接部材が戸枠に当接することによって、開き戸が完全に閉じることが阻止され、開き戸と戸枠との間に指が挟まれることが防止される。又、本発明の第１の局面に係る指挟み防止用具においては、当接部材が固定部材に揺動自在に連結されていることから、当接部材が戸枠から離れる方向に揺動されると当接部材と戸枠との当接状態が解除されるため、開き戸が完全に閉じることが阻止された状態が容易に解除される。
【００１１】
本発明の第２の局面によって提供される指挟み防止用具によれば、意図せず引き戸が閉じるとき、付勢部材によって引き戸の外縁及び戸枠に当接する初期位置に付勢されている当接部材が引き戸の外縁及び戸枠に当接することによって、引き戸が完全に閉じることが阻止され、引き戸と戸枠との間に指が挟まれることが防止される。又、本発明の第２の局面に係る指挟み防止用具においては、当接部材が固定部材に揺動自在に連結されていることから、当接部材が引き戸の外縁及び戸枠から離れる方向に揺動されると当接部材と引き戸の外縁及び戸枠との当接状態が解除されるため、引き戸が完全に閉じることが阻止された状態が容易に解除される。
【図面の簡単な説明】
【００１２】
【図１】本発明に従って構成された指挟み防止用具の第１実施形態を示す側面図。
【図２】図１に示す固定部材の断面図。
【図３】図１に示す指挟み防止用具と開き戸の戸枠とが当接している状態を示す平面図。
【図４】本発明に従って構成された指挟み防止用具の第２実施形態を示す側面図。
【発明を実施するための形態】
【００１３】
以下、本発明に従って構成された指挟み防止用具の第１実施形態について、図１乃至図３を参照しつつ詳細に説明する。
【００１４】
図１及び図２を参照して説明する。図１に示すとおり、全体を符号２で示す指挟み防止用具は、固定部材４と、当接部材６と、付勢部材８とを備える。図２に示すとおり、固定部材４は、基板１０と、基板１０の片面に付設された薄片状の磁石１２と、基板１０の他面に付設された枠体１４と、枠体１４内に収容された抜け止め片１６と、基板１０の他面に付設された係止片１８とを含む。基板１０、枠体１４、抜け止め片１６及び係止片１８は、適宜の合成樹脂材料から形成され得る。磁石１２は、図２においては複数個示されているが、１個であってもよい。枠体１４は中空円筒状に形成されており、軸方向基端が皿ネジ２０により基板１０の他面に固定されている。枠体１４の軸方向先端には、枠体１４の内径よりも小径の円形開口２２が形成されている。抜け止め片１６は、全体としてＣ字状に形成されている。抜け止め片１６の内周縁は、軸方向基端から先端に向かって内径が漸次減少する円錐台状に形成されている。基板１０の他面上において枠体１４と間隔をおいて配置されている係止片１８は、直方体状に形成されている。係止片１８には係止開口２４が形成されている。
【００１５】
図１に示すとおり、当接部材６は、基端側が固定部材４に揺動自在に連結された連結軸２６と、基端側が連結軸２６の軸方向先端側に接続された緩衝器２８と、基端側が緩衝器２８の先端側に接続された当接体３０とを含む。アルミニウム合金等の適宜の金属材料から形成され得る連結軸２６は、図２に示すとおり、軸方向基端側に位置する球状基部３２と、球状基部３２に続く主部３４と、主部３４に続く鍔部３６と、鍔部３６に続く挿入端部３８とを有する。図示された実施形態においては、図２に示すとおり、球状基部３２は、軸方向基端から先端において、漸次直径が拡大し、次いで円柱状に若干延びた後、漸次直径が減少している。尚、球状基部３２は円柱状に延びる部分を有しない真球状であってもよい。主部３４は球状基部３２の軸方向先端に続いて円柱状に延びている。鍔部３６は主部３４の軸方向先端に続いて漸次直径が拡大した後、円柱状に若干延びている。連結軸２６の軸方向先端側に位置する挿入端部３８は、鍔部３６の軸方向先端から円柱状に延びている。挿入端部３８の直径は、鍔部３６の軸方向先端の直径よりも小さい。そして、連結軸２６の球状基部３２は、枠体１４の円形開口２２を通って枠体１４内に揺動自在に収容されている。連結軸２６は、抜け止め片１６によって枠体１４から抜け出ることが阻止されている。尚、連結軸２６はピン結合によって固定部材４に揺動自在に連結されていてもよい。
【００１６】
図１及び図２に示すとおり、緩衝器２８は適宜の金属材料から形成され得るコイルばねから構成されているのが好ましい。緩衝器２８の軸方向基端側には連結軸２６の挿入端部３８が挿入されている。尚、緩衝器２８は弾性を有する適宜の樹脂材料又はゴム材料から、連結軸２６の軸方向に延出する、中空軸体又は中実軸体から構成されていてもよい。
【００１７】
図１に示すとおり、当接体３０は、円柱状の当接軸４０と、環状の当接片４２とを含む。アルミニウム合金等の適宜の金属材料から形成され得る当接軸４０は、本体部４４と、本体部４４よりも小径の挿入基部４６とを有する。挿入基部４６は緩衝器２８の軸方向先端側に挿入されている。挿入基部４６と連結軸２６の挿入端部３８との間には間隙が存在する。適宜の合成樹脂材料から形成され得る当接片４２は、当接軸４０の先端に六角穴付きボルト４８により固定されている。又、当接片４２には係止開口５０が形成されている。当接体３０の先端側は先端に向かって凸に湾曲しているのが好都合であり、図示された実施形態においては、図１を参照することによって理解されるとおり、環状に形成されている当接片４２の外縁によって、当接体３０の先端側は先端に向かって凸に湾曲している。尚、当接軸４０と当接片４２とは、図示された実施形態においては別体に構成されているが、アルミニウム合金等の適宜の金属材料又は適宜の合成樹脂材料から、一体的に構成されていてもよい。
【００１８】
図１に示すとおり、付勢部材８は、適宜の金属材料から形成され得るコイルばねから構成されており、当接部材６に沿って延びているのが好適である。付勢部材８の軸方向基端側は、係止片１８の係止開口２４に係止されている。一方、付勢部材８の軸方向先端側は、当接片４２の係止開口５０に係止されている。尚、付勢部材８は、適宜のゴム材料から形成され得るゴム紐から構成されていてもよい。
【００１９】
上述したとおりの指挟み防止用具２は、磁石１２の磁力によって固定部材４が鉄製の開き戸５２の外縁に着脱自在に固定される。子供によるいたずらを防止するため、指挟み防止用具２は、取っ手（図示されていない。）よりも上方において開き戸５２に固定されているのが好ましい。尚、開き戸５２が非鉄製の場合には、磁石１２に代えて、基板１０の片面に付設された両面テープによって固定部材４が非鉄製の開き戸５２の外縁に着脱自在に固定されていてもよい。
【００２０】
図３を参照して説明する。開き戸５２が開けられると、当接部材６が付勢部材８によって戸枠５４に当接する初期位置に付勢される。そして、強風に煽られること等によって意図せず開き戸５２が閉じるとき、図３に示すとおり、当接片４２が戸枠５４に当接することによって開き戸５２が完全に閉じることが阻止され、開き戸５２と戸枠５４との間に指が挟まれることが防止される。当接片４２と戸枠５４とが当接したときの衝撃は緩衝器２８によって緩衝されるため、指挟み防止用具２の構成部品又は戸枠５４等が損傷することが防止される。万一、当接片４２と戸枠５４との間に指が挟まれた場合、緩衝器２８によって指への衝撃が軽減されると共に、当接片４２の先端側が先端に向かって凸に湾曲していることから、当接片４２と戸枠５４との間から容易に指を離脱させることができる。当接片４２と戸枠５４とが当接した後、当接部材６が戸枠５４から離れる方向（図３における矢印Ａ方向）に揺動されると、当接片４２と戸枠５４との当接状態が解除されるため、指挟み防止用具２が開き戸５２に取付けた状態であるにも関わらず、開き戸５２が完全に閉じることが阻止された状態が容易に解除される。
【００２１】
尚、開き戸５２の取っ手と当接部材６とを紐で接続し、取っ手を回転させると、当接部材６が戸枠５４から離れる方向に揺動するようにしてもよい。そうすると、指挟み防止用具２が子供の手の届かない位置において開き戸５２に固定されていても、取っ手を回転させることによって子供が当接片４２と戸枠５４との当接状態を解除することができる。
【００２２】
又、指挟み防止用具２は引き戸の戸枠、例えば上側戸枠の下面、に磁石又は両面テープによって固定されていてもよい。この場合、当接部材６は付勢部材８によって引き戸の外縁及び縦枠に当接する（挟まれる）初期位置に付勢される。そして、意図せず引き戸が閉じるとき、当接片４２が引き戸の外縁及び縦枠に当接する（挟まれる）ことによって引き戸が完全に閉じることが阻止され、引き戸と縦枠との間に指が挟まれることが防止される。
【００２３】
図４には、本発明に従って構成された指挟み防止用具の第２実施形態が示されている。指挟み防止用具６０は、固定部材６２と、当接部材６４と、付勢部材６６とを備える。固定部材６２は、基板６８と、基板６８から突出する円柱状の突起７０とを含む。基板６８は、図示されていない磁石又は両面テープによって開き戸５２の外縁に着脱自在に固定されている。当接部材６４は、円柱状の当接軸７２と、環状の当接片７４とを含む。当接軸７２は、本体部７６と、本体部７６よりも小径の挿入基部７８とを有する。当接片７４は、当接軸７２の先端に六角穴付きボルト８０により固定されている。
【００２４】
第２実施形態においては、図４に示すとおり、付勢部材６６は固定部材６２と当接部材６４との間に配置されたコイルばねから構成されている。付勢部材６６の基端側には、固定部材６２の突起７０が挿入されている。一方、付勢部材６６の先端側には、当接軸７２の挿入基部７８が挿入されている。固定部材６２の突起７０と当接軸７２の挿入基部７８との間には間隙が存在する。そして、当接部材６４は付勢部材６６を介して固定部材６２に揺動自在に連結されている。
【００２５】
第２実施形態においても、開き戸５２が開けられると、当接部材６４が付勢部材６６によって戸枠５４に当接する初期位置に付勢される。そして、強風に煽られること等によって意図せず開き戸５２が閉じるとき、当接片７４が戸枠５４に当接することによって開き戸５２が完全に閉じることが阻止され、開き戸５２と戸枠５４との間に指が挟まれることが防止される。当接片７４と戸枠５４とが当接したときの衝撃は付勢部材６６によって緩衝されるため、指挟み防止用具６０の構成部品又は戸枠５４等が損傷することが防止される。万一、当接片７４と戸枠５４との間に指が挟まれた場合、付勢部材６６によって指への衝撃が軽減されると共に、当接片７４の先端側が先端に向かって凸に湾曲していることから、当接片７４と戸枠５４との間から容易に指を離脱させることができる。当接片７４と戸枠５４とが当接した後、当接片７４が戸枠５４から離れる方向に揺動されると、当接片７４と戸枠５４との当接状態が解除されるため、指挟み防止用具６０が開き戸５２に取付けた状態であるにも関わらず、開き戸５２が完全に閉じることが阻止された状態が容易に解除される。
【符号の説明】
【００２６】
２：指挟み防止用具（第１実施形態）
４：固定部材
６：当接部材
８：付勢部材
１４：枠体
２２：円形開口
２６：連結軸
２８：緩衝器
３０：当接体
３２：球状基部
５２：開き戸
５４：戸枠
６０：指挟み防止具（第２実施形態）
６２：固定部材
６４：当接部材
６６：付勢部材
【図１】
2017066596.tif 000003
【図２】
2017066596.tif 000004
【図３】
2017066596.tif 000005
【図４】
2017066596.tif 000006